(57)【要約】      （修正有）【課題】製造コストが少なく、保守作業性がよく、安全性に優れた電子機器ユニットのラック搭載構造を提供する。【解決手段】ラックに装着されるラック装着具と、電子機器ユニット３の両側面に取付けられたサイドアダプタ２ａ，２ｂとを具備し、サイドアダプタは下縁から外側に向って直角に折曲げられた下レール部５と、上縁から外側に向って直角に折曲げられた上レール部７と、上レール部に設けられたストッパ部とを有し、ラック装着具は両側板と、両側板間に掛渡る棚板と、側板の上縁から内側に向って直角に折曲げられた上ガイド片と、上ガイド片に設けられストッパ部に係合離脱可能な脱落防止用部材とを有し、サイドアダプタは棚板と上ガイド片間に嵌合可能であり、電子機器ユニットはサイドアダプタを介してラック装着具に搭載可能であり、電子機器ユニットの引出しは、ストッパ部と脱落防止用部材との係合によって脱落が防止される。【選択図】図１
2009218326.tif 000002
【特許請求の範囲】
【請求項１】
ラックに装着されるラック装着具と、電子機器ユニットの両側面に取付けられたサイドアダプタとを具備し、該サイドアダプタは下縁から外側に向って直角に折曲げられた下レール部と、上縁から外側に向って直角に折曲げられた上レール部と、該上レール部に設けられたストッパ部とを有し、前記ラック装着具は両側板と、該両側板間に掛渡る棚板と、前記側板の上縁から内側に向って直角に折曲げられた上ガイド片と、該上ガイド片に設けられ前記ストッパ部に係合離脱可能な脱落防止用部材とを有し、前記サイドアダプタは前記棚板と前記上ガイド片間に嵌合可能であり、前記電子機器ユニットは前記サイドアダプタを介して前記ラック装着具に搭載可能であり、前記電子機器ユニットの引出しは、前記ストッパ部と脱落防止用部材との係合によって脱落が防止されることを特徴とする電子機器ユニットのラック搭載構造。
【発明の詳細な説明】
【技術分野】
【０００１】
本発明は、ラックに電子機器ユニットを搭載する場合の電子機器ユニットのラック搭載構造に関するものである。
【背景技術】
【０００２】
大型の電子機器では、機能毎にユニット化された電子機器ユニットがラックに搭載される構成を有しており、電子機器ユニットをラックに搭載する構造としては、市販のスライドレールを用いて搭載する構造、棚板を設けて棚板に電子機器ユニットを載置して搭載する構造等がある。
【０００３】
前者の市販のスライドレールを使用する構造では、スライドレールが高価であり、又スライドレールを固定する部品が必要となる等部品点数が多くなる為、製造コストが増大する。
【０００４】
又、スライドレールは重く、電子機器の重量が増大する。更に、取付け調整に時間が掛り、生産性が悪い等の問題があった。
【０００５】
後者の棚板を設けて電子機器ユニットを搭載する構造では、部品点数も少なく、調整にも時間は掛らないが、ユニット引出し時に安定性に欠ける等の問題を有していた。
【０００６】
【特許文献１】特開２００２−３０５３９１号公報
【発明の開示】
【発明が解決しようとする課題】
【０００７】
本発明は斯かる実情に鑑み、製造コストが少なく、保守作業性がよく、又安全性に優れた電子機器ユニットのラック搭載構造を提供するものである。
【課題を解決するための手段】
【０００８】
本発明は、ラックに装着されるラック装着具と、電子機器ユニットの両側面に取付けられたサイドアダプタとを具備し、該サイドアダプタは下縁から外側に向って直角に折曲げられた下レール部と、上縁から外側に向って直角に折曲げられた上レール部と、該上レール部に設けられたストッパ部とを有し、前記ラック装着具は両側板と、該両側板間に掛渡る棚板と、前記側板の上縁から内側に向って直角に折曲げられた上ガイド片と、該上ガイド片に設けられ前記ストッパ部に係合離脱可能な脱落防止用部材とを有し、前記サイドアダプタは前記棚板と前記上ガイド片間に嵌合可能であり、前記電子機器ユニットは前記サイドアダプタを介して前記ラック装着具に搭載可能であり、前記電子機器ユニットの引出しは、前記ストッパ部と脱落防止用部材との係合によって脱落が防止される電子機器ユニットのラック搭載構造に係るものである。
【発明の効果】
【０００９】
本発明によれば、ラックに装着されるラック装着具と、電子機器ユニットの両側面に取付けられたサイドアダプタとを具備し、該サイドアダプタは下縁から外側に向って直角に折曲げられた下レール部と、上縁から外側に向って直角に折曲げられた上レール部と、該上レール部に設けられたストッパ部とを有し、前記ラック装着具は両側板と、該両側板間に掛渡る棚板と、前記側板の上縁から内側に向って直角に折曲げられた上ガイド片と、該上ガイド片に設けられ前記ストッパ部に係合離脱可能な脱落防止用部材とを有し、前記サイドアダプタは前記棚板と前記上ガイド片間に嵌合可能であり、前記電子機器ユニットは前記サイドアダプタを介して前記ラック装着具に搭載可能であり、前記電子機器ユニットの引出しは、前記ストッパ部と脱落防止用部材との係合によって脱落が防止されるので、部品点数が少なく、又前記サイドアダプタと前記ラック装着具間の調整作業が必要ない為作業性がよく、製造コストの低減を図れ、又安全性に優れるという優れた効果を発揮する。
【発明を実施するための最良の形態】
【００１０】
以下、図面を参照しつつ本発明を実施する為の最良の形態を説明する。
【００１１】
本発明に係る電子機器ユニットのラック搭載構造は、主に、電子機器ユニットに装着されるユニット装着具とラック側に装着されるラック装着具によって構成される。
【００１２】
先ず、図１〜図３により、ユニット装着具１を説明する。尚、図１中、下が前、図の中心を中央とする。
【００１３】
前記ユニット装着具１は一対のサイドアダプタ２ａ，２ｂから成り、該サイドアダプタ２ａ，２ｂは電子機器ユニット３の両側面にそれぞれ固着される様になっている。
【００１４】
前記サイドアダプタ２ａ，２ｂは、左右対称の形状をしており、以下サイドアダプタ２ａについて説明する。
【００１５】
該サイドアダプタ２ａは、板材を成形したものであり、前記電子機器ユニット３の側面に密着する側板部４と、該側板部４の下縁から外側に向って直角に折曲げられた下レール部５と、該下レール部５の前後両端に位置し、前記側板部４の下縁から内側に向って直角に折曲げられたユニット受部６と、前記側板部４の上縁から外側に向って直角に折曲げられ前記下レール部５の後端部に対向して設けられた上レール部７とを有する。尚、前記下レール部５の下面と前記ユニット受部６の下面は、面一、好ましくは該ユニット受部６の下面を前記下レール部５の下面より若干上方に位置させる。
【００１６】
前記上レール部７の後端は、前記下レール部５の後端より前側に位置し、後述する抜止めローレット螺子１１と干渉しない様になっており、又前記上レール部７の前端部は下方に屈曲され、ストッパ部８を形成している。
【００１７】
前記下レール部５の前端部、後端部には抜止め螺子座９を介して前記抜止めローレット螺子１１が設けられ、該抜止めローレット螺子１１はスプリング１２（図１０参照）により上方に付勢されている。
【００１８】
前記サイドアダプタ２ａ，２ｂを前記電子機器ユニット３に装着する場合は、前記側板部４を前記電子機器ユニット３の側面に密着させ、更に前記ユニット受部６を前記電子機器ユニット３の下面に当接させる。前記ユニット受部６が前記電子機器ユニット３の下面に当接されることで、前記サイドアダプタ２ａ，２ｂと前記電子機器ユニット３の上下方向の位置が決定される。
【００１９】
更に、前記ユニット受部６が螺子（図示せず）により、前記電子機器ユニット３の下面に固着され、前記サイドアダプタ２ａが前記電子機器ユニット３に装着される。
【００２０】
尚、前記サイドアダプタ２ｂは、前記サイドアダプタ２ａと同様であるので、説明を省略する。
【００２１】
次に、図４〜図６によりラック装着具１４を説明する。尚、図４中、下が前、図の中心を中央とする。
【００２２】
該ラック装着具１４は螺子等の固着具によってラックに搭載されるが、ここではラックを省略して図示している。
【００２３】
側板１５，１５に掛渡って棚板１６が設けられる。前記側板１５，１５間の内寸は、前記電子機器ユニット３に前記サイドアダプタ２ａ，２ｂを取付けた状態での左右幅寸法より若干大きくなる様に設定されている。前記棚板１６の中央部は、重量軽減の為の抜き孔１７が穿設されている。前記棚板１６の両側辺部には前後２箇所、前記抜止め螺子座９と対応する位置に、ユニット固定ナット１８が設けられている。
【００２４】
前記側板１５には、上縁から内側に直角に折曲げられ上ガイド片１９が形成され、該上ガイド片１９の前記ユニット固定ナット１８と対峙する部分に欠切部２１が形成されている。前記上ガイド片１９の下面と前記棚板１６の上面間の寸法は、前記下レール部５の下面と前記上レール部７の上面間の寸法より若干大きく設定されている。
【００２５】
前記側板１５の後端には、クランク形状の押込みストッパ２２が取付けられ、前記上ガイド片１９の所要位置、該上ガイド片１９の前後中間位置より前側にナット座２３が設けられ、該ナット座２３に脱落防止用螺子２４が螺合されている。該脱落防止用螺子２４はスプリング（図示せず）によって上方に付勢されることが好ましい。
【００２６】
尚、図中２５は前記側板１５に固着された補強部材であり、２６は重量軽減の為に穿設された抜き孔である。
【００２７】
図７〜図９は、前記電子機器ユニット３に前記ユニット装着具１を装着し、前記電子機器ユニット３を前記ラック装着具１４に搭載した状態を示している。尚、図７中、下が前、図の中心を中央とする。
【００２８】
前記サイドアダプタ２ａ，２ｂを装着した前記電子機器ユニット３を前記ラック装着具１４に挿入する。
【００２９】
前記下レール部５と前記上レール部７が前記棚板１６と前記上ガイド片１９間に嵌合し、左右の前記サイドアダプタ２ａ，２ｂが前記側板１５，１５間に嵌合し、上下、左右に適宜な間隙が介在した状態で、前記電子機器ユニット３が前記ラック装着具１４にガイドされる。
【００３０】
前記電子機器ユニット３を搭載位置迄押込むと、前記抜止めローレット螺子１１が前記ユニット固定ナット１８に合致し、前記各抜止めローレット螺子１１を締込み、前記ユニット固定ナット１８に螺着することで、前記電子機器ユニット３が前記ユニット装着具１を介して前記ラック装着具１４に取付けられる。尚、前記上ガイド片１９には前記欠切部２１が形成されているので、前記抜止めローレット螺子１１の締付け作業は支障なく行える。
【００３１】
図１０、図１１により、前記電子機器ユニット３を部分的に引出した状態を説明する。
【００３２】
前記抜止めローレット螺子１１を緩め、前記ユニット固定ナット１８との螺合を解除する。前記抜止めローレット螺子１１は前記スプリング１２によって上方に押上げられ、前記抜止めローレット螺子１１の下端は、前記棚板１６とは非接触となり、前記電子機器ユニット３は引出せる状態となる。
【００３３】
前記電子機器ユニット３を所定量引出すと、前記脱落防止用螺子２４の下端に前記ストッパ部８が当接し、前記電子機器ユニット３を引出せなくなる。この状態で、図１０中の矢印が示す様な、転倒力が作用したとしても、引出し方向は前記ストッパ部８と前記脱落防止用螺子２４の係合により拘束され、転倒方向は前記上レール部７が前記上ガイド片１９に当接することで拘束される。作業者が手を離したとしても、前記電子機器ユニット３が脱落することはない。
【００３４】
該電子機器ユニット３を引出した状態で、該電子機器ユニット３への作業を安全に行える。
【００３５】
次に、図１２、図１３により、該電子機器ユニット３を前記ラック装着具１４から完全に引出す場合を、説明する。
【００３６】
前記脱落防止用螺子２４を緩め、前記ナット座２３と前記脱落防止用螺子２４の螺合を解除すると、前記脱落防止用螺子２４はスプリング２７によって上方に持上げられる。この状態では、前記脱落防止用螺子２４の下端は、前記上ガイド片１９の下面と、面一が若干上昇した位置であり、前記上レール部７とは非接触となる。従って、前記電子機器ユニット３を引出すことが可能となり、該電子機器ユニット３を前記ラック装着具１４から完全に取外すことができる。
【００３７】
上記した様に、本発明によれば、前記ユニット装着具１、前記ラック装着具１４は前記電子機器ユニット３の実装時、引出し時のガイドレールとしての機能を有し、又引出し途中での脱落防止機能も有している。
【００３８】
又、前記サイドアダプタ２ａ，２ｂを前記電子機器ユニット３に取付けるだけで、前記サイドアダプタ２ａ，２ｂと前記ラック装着具１４間の調整は必要なく、組立、分解作業性が優れている。更に、部品は、前記サイドアダプタ２ａ，２ｂ、前記ラック装着具１４の３点であり、分品点数が少なく、製造コストが安く、部品管理は容易である。
【００３９】
更に、前記ラック装着具１４は一体化されているので、ラック（図示せず）の強度部材にも成り得、ラックの構造を簡略化でき、ラックの製造コストの低減も図り得る。
【００４０】
尚、上記実施の形態では、前記上レール部７を前記サイドアダプタ２ａ，２ｂの上縁に対し部分的に設けたが、上縁の全長或は略全長に亘って設け、又前記ストッパ部８の代りに前記脱落防止用螺子２４の先端が嵌合するストッパ孔を設け、前記スプリング２７により前記脱落防止用螺子２４を下方に付勢し、前記電子機器ユニット３を引出した時に、前記脱落防止用螺子２４が前記ストッパ孔に嵌合し、引出しを拘束する様にしてもよい。尚、この場合、前記脱落防止用螺子２４は上昇した状態で、前記ナット座２３に螺合する様にする。
【００４１】
又、前記サイドアダプタ２ａ，２ｂと前記ラック装着具１４との固定は、前記上レール部７と前記上ガイド片１９とを螺子により固定してもよい等、固定部分、固定手段は種々変更が可能である。
【図面の簡単な説明】
【００４２】
【図１】本発明の実施の形態に係るサイドアダプタを電子機器ユニットに装着した状態を示す平面図である。
【図２】同前正面図である。
【図３】同前側面図である。
【図４】本発明の実施の形態に係るラック装着具の平面図である。
【図５】同前正面図である。
【図６】同前側面図である。
【図７】本発明の実施の形態に於いて、電子機器ユニットをラック装着具に搭載した状態を示す平面図である。
【図８】同前正面図である。
【図９】同前側面図である。
【図１０】本発明の実施の形態に於いて、電子機器ユニットを途中迄引出した状態を示す側面図であり、図８のＡ矢視相当図である。
【図１１】図１０のＢ部拡大図である。
【図１２】本発明の実施の形態に於いて、電子機器ユニットを全て引出す場合を示す側面図であり、図８のＡ矢視相当図である。
【図１３】図１２のＣ部拡大図である。
【符号の説明】
【００４３】
１              ユニット装着具
２              サイドアダプタ
３              電子機器ユニット
５              下レール部
７              上レール部
８              ストッパ部
１１            抜止めローレット螺子
１４            ラック装着具
１６            棚板
１８            ユニット固定ナット
１９            上ガイド片
２４            脱落防止用螺子
【図１】
2009218326.tif 000003
【図２】
2009218326.tif 000004
【図３】
2009218326.tif 000005
【図４】
2009218326.tif 000006
【図５】
2009218326.tif 000007
【図６】
2009218326.tif 000008
【図７】
2009218326.tif 000009
【図８】
2009218326.tif 000010
【図９】
2009218326.tif 000011
【図１０】
2009218326.tif 000012
【図１１】
2009218326.tif 000013
【図１２】
2009218326.tif 000014
【図１３】
2009218326.tif 000015